(57)【要約】【課題】所定のコンテンツを簡単且つ迅速に表示可能にするためのＵＲＬを通知するＵＲＬ通知装置を提供する。【解決手段】  本発明は、携帯電話機５から送信される検索条件にしたがってコンテンツ情報を検索し、その検索されたコンテンツ情報を携帯電話機５で表示可能に新たな文書を作成し、且つその新たな文書を取得するためのＵＲＬを作成して当該ＵＲＬを含む電子メールを携帯電話機５に送信する。【選択図】図１
2009217313.tif 000002
【特許請求の範囲】
【請求項１】
利用者が用いる利用者端末が通信ネットワークを介してサーバと接続され、前記サーバが前記利用者端末から送信される検索条件に基づいて所定の情報を検索し、その情報を取得するためのＵＲＬを前記利用者端末に通知するＵＲＬ通知装置であって、
前記利用者の識別情報、及び検索条件を含む過去の利用者の検索履歴リストと、前記検索条件に対応する情報を記憶しておき、
前記検索条件に応じた前記情報を、前記検索履歴リストを参照して検索する検索手段と、
前記検索する際に用いられた前記識別情報及び検索条件を前記検索履歴リストに反映させる反映手段と、
前記検索された情報を示す文書データを前記利用者端末で表示可能に作成する文書データ作成手段と、
前記作成された文書データを取得するためのＵＲＬを作成するＵＲＬ作成手段と、
前記ＵＲＬを前記利用者端末に送信するＵＲＬ送信手段と、
を備えていることを特徴とするＵＲＬ通知装置。
【請求項２】
前記検索履歴リストには、前記利用者が同一の日付に検索を行った回数を示す通し番号情報を有し、
前記検索手段は、前記利用者の前記通し番号データの値が大きい順に前記検索条件と検索履歴リストとを比較し、前記情報を検索することを特徴とする請求項１に記載のＵＲＬ通知装置。
【請求項３】
前記文書データは所定期間経過後に削除されることを特徴とする請求項１、又は２に記載のＵＲＬ通知装置。
【発明の詳細な説明】
【技術分野】
【０００１】
本発明は、コンテンツの情報を取得するためのＵＲＬを所定の端末に通知するＵＲＬ通知装置であって、特に電子メールを用いて携帯端末にＵＲＬを通知するＵＲＬ通知装置に関する。
【背景技術】
【０００２】
近年、携帯電話機などの携帯端末は、音声通話及び電子メール機能のほかに、インターネットを介してコンテンツを閲覧するブラウザ機能を備えている。
【０００３】
ユーザが所望するコンテンツを閲覧するには、所望するコンテンツのアドレスを示すＵＲＬ（Uniform Resource Locator）を入力する必要がある。
【０００４】
このようなユーザが所望するコンテンツを表示するためのＵＲＬを通知するサービスが知られている（例えば、特許文献１参照）。
【特許文献１】特開２００２−１４８８７号公報
【発明の開示】
【発明が解決しようとする課題】
【０００５】
例えば、ショッピングサイトにおける特定の商品情報を表示するためのＵＲＬは、商品名や店舗名など複数の文字列がピリオドやスラッシュなどで区切られた非常に長い文字列で構成されており、特に、携帯電話機などの携帯端末ではそのＵＲＬの入力に手間がかかる。
【０００６】
また、携帯端末機は、通信速度が遅く、検索及びコンテンツの表示に時間がかかるとともに、文字制限等によりコンテンツを表示不能な場合がある。
【０００７】
そこで、本願は上記各問題点の解決を課題の一例としてなされたものであり、所定のコンテンツを簡単且つ迅速に表示可能にするためのＵＲＬを通知するＵＲＬ通知装置を提供することを目的とする。
【課題を解決するための手段】
【０００８】
上記課題を解決するために、請求項１に記載のＵＲＬ通知装置は、利用者が用いる利用者端末が通信ネットワークを介してサーバと接続され、前記サーバが前記利用者端末から送信される検索条件に基づいて所定の情報を検索し、その情報を取得するためのＵＲＬを前記利用者端末に通知するＵＲＬ通知装置であって、前記利用者の識別情報、及び検索条件を含む過去の利用者の検索履歴リストと、前記検索条件に対応する情報を記憶しておき、前記検索条件に応じた前記情報を、前記検索履歴リストを参照して検索する検索手段と、前記検索する際に用いられた前記識別情報及び検索条件を前記検索履歴リストに反映させる反映手段と、前記検索された情報を示す文書データを前記利用者端末で表示可能に作成する文書データ作成手段と、前記作成された文書データを取得するためのＵＲＬを作成するＵＲＬ作成手段と、前記ＵＲＬを前記利用者端末に送信するＵＲＬ送信手段と、を備えていることを特徴とする。
【０００９】
この発明によれば、検索条件にしたがって所定の情報（例えば、コンテンツ）を検索し、その検索された情報を利用者端末で表示可能に新たな文書を作成し、且つその新たな文書を取得するためのＵＲＬを作成して当該ＵＲＬを利用者端末に送信するため、当該ＵＲＬを用いて所定の情報を簡単且つ迅速に表示可能である。
【００１０】
また、請求項２に記載のＵＲＬ通知装置は、請求項１に記載のＵＲＬ通知装置において、前記検索履歴リストには、前記利用者が同一の日付に検索を行った回数を示す通し番号情報を有し、前記検索手段は、前記利用者の前記通し番号データの値が大きい順に前記検索条件と検索履歴リストとを比較し、前記情報を検索することを特徴とする。
【００１１】
この発明によれば、通し番号データの値が大きい順に情報を検索するようになっている。通し番号が大きいということは、過去に同様な検索が何度も行われており、同じ検索を行っていた可能性が非常に高いため、検索処理の高速化を図ることが可能となる。
【００１２】
また、請求項３に記載のＵＲＬ通知装置は、請求項１、又は２に記載のＵＲＬ通知装置において、前記文書データは所定期間経過後に削除されることを特徴とする。この発明によれば、サーバ上のデータ量を逐次軽減することができるため、サーバのアクセス処理の更なる高速化を図れる。
【発明の効果】
【００１３】
以上のように、本発明によれば、通知されたＵＲＬを用いて所定の情報を簡単且つ迅速に表示することが可能である。また、前記情報を検索処理の高速化を図れる。
【発明を実施するための最良の形態】
【００１４】
以下、本願の最良の実施形態について図１及び図２を用いて詳細に説明する。図１はＵＲＬ通知装置の全体構成図、図２は携帯電話機への電子メール送信動作を示すフローチャート図である。なお、以下に説明する実施の形態は、特に、携帯端末装置を用いてインターネット上に存在するショッピングサイト内の情報を得る場合の一例を示すものであり、ＵＲＬ通知装置は、予めユーザが登録することで利用可能な装置である。
【００１５】
−ＵＲＬ通知装置Ｓの構成及び機能の概要−
まず、図１を参照して、本実施形態におけるＵＲＬ通知装置の構成及び機能について説明する。
【００１６】
図１に示すように、ＵＲＬ通知装置Ｓは、利用者が用いる利用者端末の一例としての携帯電話機５と、サーバ装置の一例としてのサーバ１０と、を含んで構成されている。
【００１７】
携帯電話機５とサーバ１０とは、通信手段の一例としての通信ネットワークＮＷを介して相互にデータの送受信が可能（例えば、通信プロトコルにＴＣＰ／ＩＰ（Transmission Control Protocol/Internet Protocol）を用いて、相互にデータの送受信が可能）になっている。なお、ネットワークＮＷは、例えば、インターネット、専用通信回線（例えば、ＣＡＴＶ（Community Antenna Television）回線）、移動体通信網（無線基地局等を含む）、及びゲートウェイ等により構築されている。
【００１８】
本実施形態のＵＲＬ通知装置Ｓは、携帯電話機５を用いてサーバ１０に所定の検索条件を送信することで、サーバ１０が、その検索条件に基づいてユーザが所望するインターネット上のコンテンツ情報を検索し、当該コンテンツ情報を携帯電話機５で表示可能な所定の形式に変換した新たな文書を作成するとともに、その新たな文書を取得するためのＵＲＬを作成し、当該ＵＲＬを携帯電話機５に通知するものである。そして、携帯電話機５は、当該ＵＲＬにて当該新たな文書にアクセスし、当該新たな文書を簡単且つ迅速に表示可能となっている。
【００１９】
−サーバ１０の構成及び機能−
次に、図１を用いてサーバ１０の構成及び機能について説明する。
【００２０】
サーバ１０は、各種プログラム及びデータ等を記憶する記憶手段の一例としての記憶部（例えば、ハードディスク等）と、ネットワークＮＷに接続して携帯電話機５との通信状態を制御し、本願のＵＲＬ送信手段として機能する通信部（例えば、ネットワークアダプタ等）と、ＣＰＵ（Central Processing Unit）、ＲＡＭ（Random Access Memory）、ＲＯＭ（Read Only Memory）等を備えるシステム制御部と、を備えている。
【００２１】
記憶部には、図１に示すように、ショッピングサイトの情報検索用に用いられるＵＲＬリスト１２、ショッピングサイトに関する情報を示す商品リスト１４や店舗リスト１５、及びユーザ認証用に用いられるＩＤリスト１７が記憶されている。
【００２２】
ＵＲＬリスト１２は、登録されたユーザがサーバにアクセスして所定の情報を得たときの過去の利用者の検索履歴リストで構成され、登録されたユーザがアクセスして後述するメール受信動作を行なった際に更新される。当該ＵＲＬリスト１２は、登録されたユーザを識別する識別番号として機能するＩＤ、サーバ１０にアクセスして所定の情報を得たときの日付、同一の日付（同日）にサーバ１０にアクセスし所定の情報を検索したときの回数を示す通し番号データ、検索条件としての商品名データ及び店舗場所データが対応づけられて構成されている。
【００２３】
商品リスト１４は、商品名に店舗を識別する店舗ＩＤが対応づけられて構成されている。また、店舗リスト１５は、店舗を識別する店舗ＩＤに店舗名、店舗場所、その店舗の情報（ショッピングサイト）のアドレスを示すＵＲＬが対応づけられて構成されている。
【００２４】
ＩＤリスト１７は、ユーザの登録によって付与される固有の識別番号を示すＩＤにメールアドレスが対応づけられて構成されている。
【００２５】
システム制御部は、ＣＰＵが、ＲＯＭまたは記憶部に記憶されたサーバ装置用プログラム等の各種プログラムを読み出し実行することにより、サーバ１０の各部を統括制御するものであって、本願の検索手段、反映手段、文書データ作成手段、及びＵＲＬ作成手段等として機能するようになっている。このサーバ装置用プログラムとは、携帯電話機５から送信される情報通知要求に基づいてサーバ１０が行なう処理プログラムである。
【００２６】
具体的に、システム制御部は、ユーザにより携帯電話機５を用いて送信されたユーザＩＤやメールアドレスに基づいて個々のユーザを認証し、当該携帯電話機にて入力された検索条件に応じたショッピングサイトを前記ＵＲＬリスト、及び商品及び店舗リストを参照して検索し、当該ショッピングサイトを表示するためのＵＲＬを含む文書データを作成し、当該ＵＲＬを含む電子メールを携帯電話機５に送信する。
【００２７】
なお、文書データは、ユーザにＵＲＬを送信後、一定期間又は時間経過後、削除するようになっている。これにより、サーバ１０上のデータ量を所定期間毎に軽減することができるため、サーバ１０のアクセス処理の更なる高速化を図れる。
【００２８】
−携帯電話機５の構成及び機能−
次に、携帯電話機５の構成及び機能について説明する。
【００２９】
携帯電話機５は、ショッピングサイトの情報を表示する表示画面に相当する表示部（例えば、液晶ディスプレイ等）と、ユーザの操作を受け付ける操作部（例えば、ダイヤルボタン、カーソルボタン等）と、各種プログラム（例えば、オペレーティングシステム等）データ等を記憶する記憶部（例えば、フラッシュメモリ等）と、を備えている。
【００３０】
また、携帯電話機５は、基地局との電波送受信により移動体通信網に接続して、ネットワークＮＷに接続されたサーバ１０等との通信を制御する無線通信部と、サーバ１０との通信によって得られる所定の情報を画面上に表示する表示制御部と、を備えている。
【００３１】
更にまた、携帯電話機５は、ＣＰＵ（Central Processing Unit）、ＲＡＭ（Random Access Memory）、ＲＯＭ（Read Only Memory）等を備えるシステム制御部を備え、システム制御部と各部とは相互に接続されている。
【００３２】
システム制御部は、ＣＰＵが、ＲＯＭや記憶部に記憶された各種プログラムを読み出し実行することにより携帯電話機５全体を制御するものである。
【００３３】
具体的に、システム制御部は、ユーザによる操作部の操作により予め定められたフォーマットのメール文書を作成し、サーバ１０に送信する。当該メール文書には、ショッピングサイトを検索するための検索条件、及び個人認証用の情報が含まれる。
【００３４】
また、システム制御部は、サーバ１０から送信された電子メールを受信すると、ユーザによる操作部の操作により、当該電子メールに含まれるＵＲＬを読み出して、当該ＵＲＬに相当する文書データをサーバ１０から取得し、当該文書データを画面上に表示させる。
【００３５】
以上に説明したようにこの情報通信装置Ｓを利用すれば、ユーザは面倒な操作をすることなく、容易且つ迅速に所望のショッピングサイトの情報を携帯電話機５で閲覧することが可能となる。
【００３６】
−ＵＲＬ通知装置Ｓにおけるサーバ１０の携帯電話機５への電子メール送信動作−
次に、図１及び図２を用いてＵＲＬ通知装置Ｓにおけるサーバ１０の携帯電話機５への電子メール送信動作について説明する。
【００３７】
まず、ユーザが携帯電話機５を用いて予め定められたフォーマットのメール文書を作成し、当該メール文書を含む電子メールをサーバ１０に送信する。このメール文書には、所望するショッピングサイトに関する情報（例えば、商品名データ、及び店舗場所データ）が含まれている。この情報を検索条件として、電子メールの送信によりサーバ１０に対して情報通知要求が行なわれる。
【００３８】
この情報通知要求に対して、サーバ１０は、受信したメールから前記商品名データと店舗場所データに分けてサーバ１０の記憶部に一時的に保存する。なお、ショッピングサイトを検索する上で必要な項目が不足している場合や不必要な項目の追加によってサーバ１０が所定の情報を受信できない場合又は受信した情報では検索できない場合には、サーバは、エラーを通知する電子メールを作成し、携帯電話機５に送信する。
【００３９】
次に、サーバ１０は、ＩＤリストを用いて、受信したメールアドレスが登録されているか否かを判断し（ステップＳ１）、その判断が肯定されれば次の処理（ステップＳ３）に進み、否定されれば、未登録である旨を通知する電子メールを作成して、携帯電話機５に送信し（ステップＳ２）、処理を終了する。
【００４０】
次に、サーバ１０は、メールアドレスにより特定されたＩＤと、メール文書から読み出された商品名データ及び店舗場所データを条件に、ＵＲＬリストと比較し（ステップＳ３）、一致するＵＲＬリストを検索する。検索の結果、すべての条件が一致するＵＲＬリストが検索された場合には、ステップＳ７に進み、ＵＲＬリストとすべての条件が一致しない場合には、次の処理（ステップＳ４）に進む。
【００４１】
次に、サーバ１０は、商品名データ及び店舗場所データを条件に、商品リスト、及び店舗リストと比較し、一致する商品リスト及び店舗リストを検索する。検索の結果、条件に一致する商品リストを含む店舗が見つかった場合には、当該店舗の店舗名データ及びＵＲＬデータを抽出し、条件に一致する店舗（商品リストを含む。）が見つからなかった場合には、該当店舗なしを通知する電子メールを作成して、携帯電話機５に送信し（ステップＳ５）、処理を終了する。
【００４２】
次に、サーバ１０は、当該店舗名データ及びＵＲＬデータに基づいてユーザに表示するためのＷｅｂページを作成して記憶部に保存するとともに、ＵＲＬリストにＩＤ、日付、通し番号、商品名、店舗場所を登録（反映）し（ステップＳ６）、当該ＵＲＬリストを更新する。
【００４３】
次に、サーバ１０は、ＷｅｂページにアクセスするためのＵＲＬを作成する（ステップＳ７）。当該ＵＲＬは、新たに登録されたＵＲＬリストの情報に基づいて作成される。例えば、http://ＸＸＸ.com/<ＩＤ>/<日付>/<通し番号>.htmlなどである。
【００４４】
次に、サーバ１０は、当該ＵＲＬを含む電子メールを作成し、当該電子メールを携帯電話機５に送信し（ステップＳ８）、処理を終了する。
【００４５】
また、ユーザが所望するショッピングサイトを検索する際におけるＵＲＬリストの検索処理では、通し番号の大きい順に、検索条件となる商品名データ及び店舗場所データが一致するＵＲＬリストを検索することが好ましい。更に好ましくは、ＩＤが一致し、且つ通し番号の大きい順に当該ＵＲＬリストを検索することが好ましい。
【００４６】
通し番号が大きいということは、過去に同様な検索が何度も行われており、同じ検索を行っていた可能性が非常に高いと考えられる。よって、遠し番号が大きい順に検索を行うことで検索処理のヒット率が高まると考えられ、検索処理の高速化を図ることが可能となる。
【００４７】
このように動作するＵＲＬ通知装置Ｓによれば、サーバ１０は、携帯端末機５から送信される検索条件に応じたショッピングサイトをＵＲＬリスト、商品リスト、及び店舗リストを参照して検索し、その検索されたショッピングサイトの情報を携帯端末機５で表示可能に新たな文書を作成し、且つその新たな文書を取得するためのＵＲＬを作成して当該ＵＲＬを含む電子メールを携帯端末機５に送信するため、携帯端末機５では、当該電子メールを開いてＵＲＬを選択することでショッピングサイトの情報を簡単且つ迅速に表示可能である。
【００４８】
また、ショッピングサイトの検索は、ＵＲＬリストの通し番号データの値が大きい順に情報を検索するようになっている。通し番号が大きいということは、過去に同様な検索が何度も行われており、同じ検索を行っていた可能性が非常に高いため、検索処理の高速化を図ることが可能となる。
【００４９】
さらに、文書データは所定期間経過後に削除されるようになっているため、サーバ上のデータ量を逐次軽減することが可能であり、サーバのアクセス処理の更なる高速化を図れる。
【００５０】
また、上記各実施形態においては、利用者端末として携帯電話機を適用したが、例えば、ＰＤＡ（Personal Digital Assistant）等の他の携帯端末装置を適用しても構わない。
【図面の簡単な説明】
【００５１】
【図１】ＵＲＬ通知装置の全体構成図である。
【図２】携帯電話機への電子メール送信動作を示すフローチャート図である。
【符号の説明】
【００５２】
Ｓ  ＵＲＬ通知装置
ＮＷ  ネットワーク
５  携帯電話機
１０  サーバ
【図２】
2009217313.tif 000003
【図１】
2009217313.tif 000004